(57)【要約】【課題】ピ二オンをトレイの前後ラックと横移動部材の左右ラックとにスムーズに乗り継いで噛合させる。【解決手段】光ディスク挿脱位置と光ディスク記録再生位置との間を往復動するトレイ１４と、ターンテーブル２２及び光ピックアップ２４をトラバースベース２１上に支持し且つ上昇位置と下降位置との間を上下動するトラバースメカ２０と、トラバースメカ２０を上下動させるためにトレイ１４の移動方向に対して直交する左右方向に往復動する横移動部材２９と、トレイ１４の前後ラック１４ｆと横移動部材２９の左右ラック２９ｅとを乗り継いで噛合するピニオン３６と、を備えた光ディスク装置１０において、ピニオン３６は、前後ラック１４ｆに噛合する大径平歯車部３６ａと、左右ラック２９ｅに噛合する小径平歯車部３６ｂとを同軸的に一体形成すると共に、大径平歯車部３６ａと小径平歯車部３６ｂの各歯数が同じで両平歯車部のモジュールを異ならせた。【選択図】図２
2008251085.tif 000002
【特許請求の範囲】
【請求項１】
メインベースと、
上面に裸の光ディスク及び光ディスクを収納したディスクカートリッジの少なくとも一方を載置する載置部を有し、且つ、裏面に前後ラックとカム溝とを有し、前記メインベースの前方に突出した光ディスク挿脱位置と該メインベース内に収納された光ディスク記録再生位置との間を前後方向に往復動するトレイと、
前記メインベース内に設けられ、ターンテーブル及び光ピックアップユニットをトラバースベース上に支持し且つ記録再生時の上昇位置と退避時の下降位置との間を上下動するトラバースメカと、
前記トレイの往復動に伴って該トレイの前記カム溝内に進退するボスと、前記トラバースメカを上下動させるカム溝と、前記トレイの前記前後ラックに対して直交する左右ラックとを有し、前記トレイの移動方向に対して直交する左右方向に往復動する横移動部材と、
前記メインベース内に設けた回転駆動機構により減速されて正逆転可能に軸支され、且つ、前記トレイの前記前後ラックから前記横移動部材の前記左右ラック、又は、前記横移動部材の前記左右ラックから前記トレイの前記前後ラックに乗り継いで噛合するピニオンと、を備えた光ディスク装置において、
前記ピニオンは、前記トレイの前記前後ラックに噛合する大径平歯車部と、前記横移動部材の前記左右ラックに噛合する小径平歯車部とを同軸的に一体形成すると共に、前記大径平歯車部と前記小径平歯車部の各歯数が同じで両平歯車部のモジュールを異ならせたことを特徴とする光ディスク装置。
【請求項２】
前記トレイのカム溝は、前記トレイの移動方向に沿った前後溝と、左右方向となるＹ軸に対して傾斜角θ１傾いた第１傾斜溝と、前記Ｙ軸に対して傾斜角θ１より小さい傾斜角θ２傾いた第２傾斜溝と、前記横移動部材の移動方向に沿った左右溝とがこの順に連接されており、且つ、前記第１傾斜溝の傾斜角θ１を前記ピニオンの大径平歯車部のモジュールＭａと、前記ピニオンの小径平歯車部のモジュールＭｂとの比、θ１＝ｔａｎ−１Ｍａ／Ｍｂ  に予め設定したことを特徴とする請求項１記載の光ディスク装置。
【発明の詳細な説明】
【技術分野】
【０００１】
本発明は、ターンテーブル及び光ピックアップをトラバースベース上に支持し且つ記録再生時の上昇位置と退避時の下降位置との間を上下動するトラバースメカをメインベース内に取り付けると共に、メインベースの前方に突出した光ディスク挿脱位置とメインベース内に収納された光ディスク記録再生位置との間を往復動するトレイをメインベースの上方部位に取り付けた際に、トラバースメカとトレイとをメインベース上に取り付けた共通の駆動源を用いて駆動する光ディスク装置に関するものである。
【背景技術】
【０００２】
近年、光ディスク装置の普及はめざましく、多用されているものの、記録時間短縮のための高倍速記録、及び、操作性向上を目的としたトリックプレイのための高速度再生等のために、光ディスク記録再生速度の高速化が進んでいる。また、安価な光ディスクを使用するために、面振れ、偏重心に強い機構が必要とされ、高速度回転時に光ディスクの保持を確実にすると同時に動作音を小さくすることが求められている。
【０００３】
この種の光ディスク装置には各種の構造形態があるものの、従来例として、光ディスクを搭載して回転するターンテーブルと光ディスクの径方向に移動自在な光ピックアップとをトラバースベース上に支持し且つ記録再生時の上昇位置と退避時の下降位置との間を上下動するトラバースメカと、光ディスクを挿脱するためにメインベースの前方に突出した光ディスク挿脱位置と光ディスクに対して記録再生するためにメインベース内に収納された光ディスク記録再生位置との間を往復動するトレイとを、メインベース上に取り付けたモータを介して正逆転する一つのピニオンを用いて駆動するように構成したディスクプレーヤがある（例えば、特許文献１参照）。
【特許文献１】特公平７−７５５１号公報
【０００４】
図１２は従来のディスクプレーヤを示した平面図、
図１３（ａ）〜（ｅ）は従来のディスクプレーヤにおいて、ピニオンがトレイの前後ラックから横移動部材の左右ラック、又は、横移動部材の左右ラックからトレイの前後ラックに乗り継いで噛合する状態を摸式的に示した図である。
【０００５】
図１２に示した従来のディスクプレーヤ１００は、上記した特許文献１（特公平７−７５５１号公報）に開示されているものであり、ここでは特許文献１を参照して簡略に説明する。
【０００６】
図１２に示した如く、従来のディスクプレーヤ１００では、メインベース１０１内で互い直交するＸ軸,Ｙ軸で形成される矩形上の平面上に光ディスク記録再生用のトラバースメカ１０２がメインベース１０１とトラバースベース１０３の各後方左右部位に設けた不図示の支点を中心にして上下方向に回動可能に取り付けられている。
【０００７】
上記したトラバースメカ１０２は、トラバースベース１０３の前方側に不図示の光ディスクを搭載して回転するターンテーブル１０４が取り付けられていると共に、トラバースベース１０３の矩形孔１０３ａ内に光ピックアップユニット１０５が光ディスクの径方向に移動自在に取り付けられている。
【０００８】
また、メインベース１０１内の前方部位には、横移動部材１０６が左右方向（矢印Ｙ３，Ｙ４方向）に移動自在に取り付けられている。この横移動部材１０６は、Ｙ軸方向に沿って左右ラック１０６ａが形成され、且つ、上面に後述するトレイ１０７のカム溝１０７ｂに進退自在に嵌合するボス１０６ｂが植設されていると共に、紙面に垂直な面にトラバースベース１０３の前方側に横設したボス（図示せず）と嵌合してトラバースメカ１０２全体を上下動させるカム溝（図示せず）が形成されている。
【０００９】
そして、横移動部材１０６が矢印Ｙ３方向に移動した時には、トラバースメカ１０２が下方に向かって回動するのでトラバースメカ１０２が後述するトレイ１０７から退避した下降位置に至る一方、横移動部材１０６が矢印Ｙ４方向に移動した時には、トラバースメカ１０２が上方に向かって回動するのでトラバースメカ１０２が光ディスクに対して記録再生する上昇位置に至るようになっている。
【００１０】
また、メインベース１０１の上方部位には、トレイ１０７が前後方向（矢印Ｘ１，Ｘ２方向）に移動自在に取り付けられており、トレイ１０７が矢印Ｘ１方向に移動してメインベース１０１の前方に突出した時に光ディスクを挿脱する光ディスク挿脱位置に至る一方、トレイ１０７が矢印Ｘ２方向に移動してメインベース１０１内に収納された時に光ディスクに対して記録再生する光ディスク記録再生位置に至るようになっている。
【００１１】
この際、トレイ１０７の裏面には、横移動部材１０６の近傍にＸ軸方向に沿って前後ラック１０７ａが横移動部材１０６の左右ラック１０６ａと直交して長尺に形成され、且つ、トレイ１０７の裏面前方中央部位に４５°傾斜溝部１０７ｂ１とＹ軸方向溝部１０７ｂ２とを連接させたカム溝１０７ｂが形成されていると共に、前後ラック１０７ａの近傍に後述する縦横ラック乗り継ぎ機構１１４が接離するためのストッパ片１０７ｃが形成されている。
【００１２】
また、メインベース１０１内の前方部位でトレイ１０７の下方には、モータ１０８の軸に固着した第１プーリ１０９，ベルト１１０，第２プーリ１１１，ギヤ列１１２を介してピニオン１１３が正逆転可能に軸支されている。
【００１３】
更に、ピニオン１１３の近傍で、横移動部材１０６の左右ラック１０６ａとトレイ１０７の前後ラック１０７ａとの交点近傍に縦横ラック乗り継ぎ機構１１４が配設されており、この縦横ラック乗り継ぎ機構１１４は上記した各ラック１０６ａ，１０７ａの一方から他方へピニオン１１３を乗り継がせる機能を有している。
【００１４】
そして、上記構成による従来のディスクプレーヤ１００では、トレイ１０７の前後ラック１０７ａとピニオン１１３との噛合でトレイ１０７が光ディスク挿脱位置から中間位置まで移動し、次に、縦横ラック乗り継ぎ機構１１４によりピニオン１１３はトレイ１０７の前後ラック１０７ａに代って横移動部材１０６の左右ラック１０６ａに噛合し、これにより横移動部材１０６のボス１０６ｂがトレイ１０７のカム溝１０７ｂに進入してトレイ１０を中間位置から光ディスク記録再生位置まで移動して固定されると共に、横移動部材１０６はターンテーブル１０４及びピックアップユニット１０５を上昇せしめるように動作するので、トレイ１０７の為の駆動系部品への負担が軽くなり、ディスクプレーヤ１００の小型化を図れる旨が開示されている。
【発明の開示】
【発明が解決しようとする課題】
【００１５】
ところで、上記した従来のディスクプレーヤ１００において、トレイ１０７は、図１３（ａ）に示した光ディスク挿脱位置側と、図１３（ｅ）に示した光ディスク記録再生位置側との間を往復動可能になっている。
【００１６】
この際、トレイ１０７が、図１３（ａ）〜図１３（ｅ）、又は、図１３（ｅ）〜図１３（ａ）に向かって順に移動して、一つのピニオン１１３がトレイ１０７の前後ラック１０７ａから横移動部材１０６の左右ラック１０６ａ、又は、横移動部材１０６の左右ラック１０６ａからトレイ１０７の前後ラック１０７ａに乗り継ぎ、この動作に伴って、横移動部材１０６の上面に植設したボス１０６ｂがトレイ１０７の裏面に形成したカム溝１０７ｂ内に進退する時に、トレイ１０７の裏面に形成したカム溝１０６ｂは前述したように４５°傾斜溝部１０７ｂ１とＹ軸方向溝部１０７ｂ２とが連接されているために、トレイ１０７の移動と横移動部材１０６の移動とに協働して横移動部材１０６の上面に植設したボス１０６ｂがトレイ１０７の裏面に形成したカム溝１０６ｂの４５°傾斜溝部１０７ｂ１内を進退するが、この進退時に４５°傾斜溝部１０７ｂ１は傾斜が急峻なために大きな衝撃力が加わり動作音が大きくなってしまうという問題点が生じている。
【００１７】
更に、ピニオン１１３によりトレイ１０７を前後方向に移動させ、且つ、横移動部材１０６を左右方向に移動させる際に、縦横ラック乗り継ぎ機構１１４を設けなければならないのでラック切り換え構造が複雑となっている。
【００１８】
そこで、ピ二オンをトレイの前後ラックから横移動部材の左右ラック、又は、横移動部材の左右ラックからトレイの前後ラックに簡単な機構でスムーズに乗り継いで噛合させることができ、且つ、ディスククランプ解除力とトラバースメカの上下動時の駆動力を大きくすることができると共に、横移動部材の上面に植設したボスがトレイの裏面に形成したカム溝に嵌合する時に衝撃力がなく動作音を小さくして品位のある光ディスク装置が望まれている。
【課題を解決するための手段】
【００１９】
本発明は上記課題に鑑みてなされたものであり、請求項１記載の発明は、メインベースと、
上面に裸の光ディスク及び光ディスクを収納したディスクカートリッジの少なくとも一方を載置する載置部を有し、且つ、裏面に前後ラックとカム溝とを有し、前記メインベースの前方に突出した光ディスク挿脱位置と該メインベース内に収納された光ディスク記録再生位置との間を前後方向に往復動するトレイと、
前記メインベース内に設けられ、ターンテーブル及び光ピックアップユニットをトラバースベース上に支持し且つ記録再生時の上昇位置と退避時の下降位置との間を上下動するトラバースメカと、
前記トレイの往復動に伴って該トレイの前記カム溝内に進退するボスと、前記トラバースメカを上下動させるカム溝と、前記トレイの前記前後ラックに対して直交する左右ラックとを有し、前記トレイの移動方向に対して直交する左右方向に往復動する横移動部材と、
前記メインベース内に設けた回転駆動機構により減速されて正逆転可能に軸支され、且つ、前記トレイの前記前後ラックから前記横移動部材の前記左右ラック、又は、前記横移動部材の前記左右ラックから前記トレイの前記前後ラックに乗り継いで噛合するピニオンと、を備えた光ディスク装置において、
前記ピニオンは、前記トレイの前記前後ラックに噛合する大径平歯車部と、前記横移動部材の前記左右ラックに噛合する小径平歯車部とを同軸的に一体形成すると共に、前記大径平歯車部と前記小径平歯車部の各歯数が同じで両平歯車部のモジュールを異ならせたことを特徴とする光ディスク装置である。
【００２０】
また、請求項２記載の発明は、請求項１記載の光ディスク装置において、
前記トレイのカム溝は、前記トレイの移動方向に沿った前後溝と、左右方向となるＹ軸に対して傾斜角θ１傾いた第１傾斜溝と、前記Ｙ軸に対して傾斜角θ１より小さい傾斜角θ２傾いた第２傾斜溝と、前記横移動部材の移動方向に沿った左右溝とがこの順に連接されており、且つ、前記第１傾斜溝の傾斜角θ１を前記ピニオンの大径平歯車部のモジュールＭａと、前記ピニオンの小径平歯車部のモジュールＭｂとの比、θ１＝ｔａｎ−１Ｍａ／Ｍｂ  に予め設定したことを特徴とする光ディスク装置である。
【発明の効果】
【００２１】
請求項１記載の光ディスク装置によると、ピニオンをトレイの前後ラックから横移動部材の左右ラック、又は、横移動部材の左右ラックからトレイの前後ラックに乗り継いで噛合させる際に、ピニオンは、トレイの前後ラックに噛合する大径平歯車部と、横移動部材の左右ラックに噛合する小径平歯車部とを同軸的に一体形成すると共に、大径平歯車部と小径平歯車部の各歯数が同じで両平歯車部のモジュールを異ならせたために、ピニオンはトレイに形成した前後ラックから横移動部材に形成した左右ラック、又は、左右ラックから前後ラックにスムーズに乗り継いで噛合させることができると共に、従来例で説明したような縦横ラック乗り継ぎ機構を設ける必要がないのでラック切り換え構造が簡単である。
【００２２】
また、請求項２記載の光ディスク装置によると、トレイのカム溝は、トレイの移動方向に沿った前後溝と、左右方向となるＹ軸に対して傾斜角θ１傾いた第１傾斜溝と、Ｙ軸に対して傾斜角θ１より小さい傾斜角θ２傾いた第２傾斜溝と、横移動部材の移動方向に沿った左右溝とがこの順に連接されており、且つ、第１傾斜溝の傾斜角θ１をピニオンの大径平歯車部のモジュールＭａと、ピニオンの小径平歯車部のモジュールＭｂとの比、θ１＝ｔａｎ−１Ｍａ／Ｍｂ  に予め設定したために、この結果、例えば、トレイが光ディスク挿脱位置から光ディスク記録再生位置に向かって移動した時に、横移動部材のボスがトレイ１４の裏面に形成したカム溝１４中で前後溝を経てＹ軸に対して傾斜角θ１を有する第１傾斜溝からＹ軸に対して傾斜角θ１より小さな傾斜角θ２を有する第２傾斜溝内に進入するので、トレイはピニオンの大径平歯車部が前後ラックに噛合していた時よりもｔａｎθ２／ｔａｎθ１の速度に遅くなるために、動作音を小さくして品位を向上させることができる。更に、横移動部材の駆動力は、ピニオンの大径平歯車部のモジュールＭａと、ピニオンの小径平歯車部のモジュールＭｂとの比Ｍａ／Ｍｂ分大きくなるので、ディスククランプ解除力とトラバースメカの上下動時の駆動力を大きくすることができる。
【発明を実施するための最良の形態】
【００２３】
以下に本発明に係る光ディスク装置の一実施例について図１〜図１１を参照して詳細に説明する。
【実施例】
【００２４】
図１は本発明に係る光ディスク装置の外観構成を示した斜視図、
図２は本発明に係る光ディスク装置を分解して示した分解斜視図、
図３はトレイを取り外した状態で本発明に係る光ディスク装置を示した平面図、
図４（ａ），（ｂ）は本発明に係る光ディスク装置において、横移動部材の左右移動状態を説明するための正面図、
図５（ａ），（ｂ）は本発明に係る光ディスク装置において、トラバースメカの上下動状態を説明するための側面図、
図６は本発明に係る光ディスク装置において、トレイを示した平面図である。
【００２５】
図１に示した如く、本発明に係る光ディスク装置１０では、基台となるメインベース１１の前面上方部位にフロントカバー１２が取り付けられ、且つ、フロントカバー１２の後方にトップカバー１３がメインベース１１全体を覆うように取り付けられている。
【００２６】
そして、光ディスク装置１０は、メインベース１１とフロントカバー１２とトップカバー１３とにより箱状に組み立てられている。
【００２７】
また、メインベース１１の上方部位に、トレイ１４が前後方向（矢印Ｘ１，Ｘ２方向）に移動自在に取り付けられており、このトレイ１４はフロントカバー１２に形成した矩形状のトレイ挿脱口１２ａ内を進退可能になっている。
【００２８】
そして、トレイ１４が矢印Ｘ１方向に移動してメインベース１１の前方に突出した時に光ディスクＤを挿脱する光ディスク挿脱位置に至る一方、トレイ１４が矢印Ｘ２方向に移動してメインベース１１内に収納された時に光ディスクＤに対して記録再生する光ディスク記録再生位置に至るようになっている。
【００２９】
また、トップカバー１３の内面側にディスククランパ１５が回転可能に懸架されており、このディスククランパ１５は記録再生時に光ディスクＤをターンテーブル２２（図２）側に押圧するようになっている。
【００３０】
次に、本発明に係る光ディスク装置１０の内部構造について図２〜図６を用いて説明する。
【００３１】
まず、図２及び図３に示した如く、本発明に係る光ディスク装置１０の基台となるメインベース１１は、アルミダイキャスト材又は剛性のある樹脂材を用いて直方形状に一体的に形成されており、この内部の中間部位から後方部位にかけて矩形孔１１ａが大きく肉抜して開口されている。
【００３２】
そして、メインベース１１の矩形孔１１ａ内に光ディスクＤに対して記録再生するためのトラバースメカ２０が上下方向に回動可能に取り付けられている。
【００３３】
上記したトラバースメカ２０は、トラバースベース２１が板金材を用いて略矩形状に形成されており、このトラバースベース２１の前方側に光ディスクＤを搭載して回転するターンテーブル２２がスピンドルモータ２３の軸に取り付けられていると共に、トラバースベース２１の矩形孔２１ａ内に光ピックアップユニット２４がカイドレール２５に沿って光ディスクＤの径方向に移動自在に取り付けられている。
【００３４】
また、トラバースベース２１の４隅には、振動吸収用のインシュレータ２６がそれぞれ嵌め込まれており、トラバースベース２１の前方左右に取り付けた２個のインシュレータ２６は２個のネジ２７により下記するトラバースホルダ２８の前方左右の内側部位に固着され、且つ、トラバースベース２１の後方左右に取り付けた２個のインシュレータ２６は２個のネジ２７によりメインベース１１の矩形孔１１ａ内の後方左右に下方に向かって突出形成した２個のボス１１ｂに固着されている。
【００３５】
この際、上記したトラバースホルダ２８は、アルミダイキャスト材又は剛性のある樹脂材を用いてトラバースベース２１の左右前方部位を跨ぐように逆コ字状のアーム形状に形成されており、このトラバースホルダ２８の前面左右に２個の第１ボス２８ａが後述する横移動部材２９の垂直面２９ａに形成した２個のカム溝２９ｃ内に嵌合できるように突出形成されていると共に、このトラバースホルダ２８の左右の各アーム状側面に第２ボス２８ｂがメインベース１１の矩形孔１１ａ内の左右中間部位に形成した各支点用溝１１ｃ内に嵌合できるように突出形成されている。
【００３６】
従って、トラバースホルダ２８の前方左右の内側部位にトラバースメカ２０の前方左右部位を固着した状態で、トラバースホルダ２８の左右の各アーム状側面に突出形成した第２ボス２８ｂをメインベース１１の支点用溝１１ｃ内に嵌合させると、トラバースメカ２０全体が上下方向に回動可能に支持されることになる。
【００３７】
また、メインベース１１の矩形孔１１ａの前方にガイド壁１１ｄが左右方向（矢印Ｙ１，Ｙ２方向）に沿って垂直に形成されており、このガイド壁１１ｄに沿って横移動部材２９が左右方向（矢印Ｙ１，Ｙ２方向）にスライド可能に取り付けられている。
【００３８】
上記した横移動部材２９は、樹脂材を用いて下方に垂下した垂直面２９ａと前方に延出した水平面２９ｂとで逆Ｌ字状に一体的に形成に形成されている。この際、横移動部材２９の垂直面２９ａの左右には、２個のカム溝２９ｃが形成されており、これら２個のカム溝２９ｃは図４（ａ），（ｂ）に拡大して示したように、図示左側から右側に向かって上側水平溝２９ｃ１と傾斜溝２９ｃ２と下側水平溝２９ｃ３とで階段状に連接されて、これらのカム溝２９ｃ内にトラバースホルダ２８の前方に突出した２個の第１ボス２８ａが嵌合している。
【００３９】
そして、図４（ａ）に示したように、横移動部材２９がメインベース１１のガイド壁１１ｄに沿って左方（矢印Ｙ１方向）に移動した時に、トラバースホルダ２８の第１ボス２８ａがカム溝２９ｃ中の下側水平溝２９ｃ３に嵌合するので、図５（ａ）に示したように、トラバースホルダ２８の第２ボス２８ｂを回動支点にしてトラバースメカ２０全体が下方（矢印Ｚ１方向）に向かって回動するので、トラバースメカ２０がトレイ１４（図１，図２）の移動に対して支障のない下降位置に至る。
【００４０】
一方、図４（ｂ）に示したように、横移動部材２９がメインベース１１のガイド壁１１ｄに沿って右方（矢印Ｙ２方向）に移動した時に、トラバースホルダ２８の第１ボス２８ａがカム溝２９ｃ中の上側水平溝２９ｃ１に嵌合するので、図５（ｂ）に示したように、トラバースホルダ２８の第２ボス２８ｂを回動支点にしてトラバースメカ２０全体が上方（矢印Ｚ２方向）に向かって回動するので、トラバースメカ２０が光ディスクＤ（図１，図２）に対して記録再生する上昇位置に至る。
【００４１】
図２及び図３に戻り、横移動部材２９の水平面２９ｂ上には、左右ラック２９ｄが左前方に向かって形成され、且つ、第１ボス２９ｅが左右ラック２９ｄの右端近傍で上方に向かって突出形成されていると共に、第２ボス２９ｆが右端前方で上方に向かって突出形成されている。
【００４２】
そして、横移動部材２９の左右ラック２９ｄに後述する回転駆動機構３０中の最終段のピニオン３６の小径平歯車部３６ｂが噛合可能になっており、また、トレイ１４の往復動に伴って横移動部材２９の第１ボス２９ｅがトレイ１４の裏面左側部位に長尺に形成した第１カム溝１４ｇ内に進退自在に嵌合する一方、横移動部材２９の第２ボス２９ｆがトレイ１４の裏面右側後方部位に短尺に形成した第２カム溝１４ｈ内に進退自在に嵌合している。
【００４３】
また、メインベース１１の前方側には、トレイ１４を前後方向（矢印Ｘ１，Ｘ２方向）に移動させ、且つ、横移動部材２９を左右方向（矢印Ｙ１，Ｙ２方向）に移動させるための回転駆動機構３０が設けられている。
【００４４】
上記した回転駆動機構３０では、モータ３１の回転を減速して最終段のピニオン３６に伝達するように構成されている。具体的には、モータ３１の回転をモータ軸に固着した第１プーリ３２からベルト３３を介して第２プーリ３４ａとウオーム３４ｂとを同軸的に一体形成したプーリ付きウオーム３４に伝達させ、この後、プーリ付きウオーム３４の回転をメインベース１１の前方側に植設した第１軸部１１ｅに軸着させた中間歯車３５を経由して、メインベース１１の前方側に植設した第２軸部１１ｆに軸着させた最終段のピニオン３６に伝達している。
【００４５】
この際、上記した中間歯車３５は、プーリ付きウオーム３４のウオーム３４ｂに噛合する大径ハスバ歯車部３５ａと、ピニオン３６の大径平歯車部３６ａに噛合する小径平歯車部３５ｂとが同軸的に２段構造で一体形成されている。
【００４６】
また、上記したピニオン３６は、本発明の要部となるものであり、従来例とは異なって
中間歯車３５の小径平歯車部３５ｂ及び後述するトレイ１４の前後ラック１４ｆに噛合する大径平歯車部３６ａと、横移動部材２９の左右ラック２９ｄに噛合する小径平歯車部３６ｂとが同軸的に２段構造で一体形成されている。更に、ピニオン３６の大径平歯車部３６ａと小径平歯車部３６ｂは、共に歯数が同じで例えば１７歯であるものの、両平歯車部３６ａ，３６ｂ同士はモジュールを異ならせており、大径平歯車部３６ａのモジュールＭａは例えば１．２５に設定され、一方、小径平歯車部３６ｂのモジュールＭｂは例えば０．８に設定されている。
【００４７】
また、横移動部材２９の左下方には、第１プレート３７上に第１スイッチ３８が取り付けられ、且つ、この第１スイッチ３８に移動部材２９の左下方に形成した不図示のリブが接離自在になっており、横移動部材２９が左方（矢印Ｙ１方向）に移動して左側のリブで第１スイッチ３８を押圧した時にトレイ１４が光ディスク挿脱位置に至ったことを検出してモータ３１の回転を止めるようになっている。
【００４８】
更に、横移動部材２９の右下方には、第２プレート３９上に第２スイッチ４０が取り付けられ、且つ、この第２スイッチ４０に移動部材２９の右下方に形成した不図示のリブが接離自在になっており、横移動部材２９が右方（矢印Ｙ２方向）に移動して右側のリブで第２スイッチ４０を押圧した時にトレイ１４が光ディスク記録再生位置に至ったことを検出してモータ３１の回転を止めるようになっている。
【００４９】
次に、図２及び図６に示した如く、光ディスクＤが挿脱されるトレイ１４は、樹脂材を用いて略矩形状に一体的に形成されており、この上面１４ａ側に直径が１２ｃｍの裸の光ディスクＤを載置する大径載置部１４ｂと、直径が８ｃｍの裸の光ディスク（図示せず）を載置する小径載置部１４ｃとが同心的に段付きで形成されていると共に、トラバースメカ２０中のターンテーブル２２及び光ピックアップユニット２４を臨ませる長孔１４ｄがＸ軸方向に沿って貫通して形成されている。
【００５０】
尚、上記したトレイ１４は、裸の光ディスクＤを載置するように形成されているが、これに限ることなく、光ディスクＤを収納したディスクカートリッジ（図示せず）を載置するように形成しても良く、更に、裸の光ディスク及びディスクカートリッジ（図示せず）の少なくとも一方を載置するように形成しても良いものであり、この場合にはトレイへのディスクカートリッジの挿脱動作に伴ってディスクカートリッジのシャッタを開閉するシャッタ開閉機構を設ければ良いものである。
【００５１】
また、トレイ１４の裏面１４ｅ側には、回転駆動機構３０中の最終段のピニオン３６に噛合して前後方向（矢印Ｘ１，Ｘ２方向）に移動する前後ラック１４ｆが左側部位に長尺に形成され、且つ、前後ラック１４ｆの近傍に横移動部材２９の第１ボス２９ｅが進退自在に嵌合する第１カム溝１４ｇが形成されていると共に、右側後方部位に横移動部材２９の第２ボス２９ｆが進退自在に嵌合する第２カム溝１４ｈが形成されている。
【００５２】
この際、トレイ１４の裏面１４ｅ側に形成した第１カム溝１４ｇは、Ｘ軸に沿って長尺な前後溝（Ｘ軸溝）１４ｇ１と、左右方向となるＹ軸に対して傾斜角θ１傾斜した第１傾斜溝１４ｇ２と、Ｙ軸に対して傾斜角θ１より小さな傾斜角θ２傾斜した第２傾斜溝１４ｇ３と、短尺な左右溝（Ｙ軸溝）１４ｇ４とがこの順で連接して形成されており、且つ、長尺な前後溝１４ｇ１と左右溝１４ｇ４とが第１，第２傾斜溝１４ｇ２，１４ｇ３を介して直交する形態を取っている。
【００５３】
更に、第１カム溝１４ｇ中で第１傾斜溝１４ｇ２の傾斜角θ１は、前記したピニオン３６の大径平歯車部３６ａのモジュールＭａ＝１．２５と、ピニオン３６の小径平歯車部３６ｂのモジュールＭｂ＝０．８との比、即ち、θ１＝ｔａｎ−１Ｍａ／Ｍｂ  に予め設定されているので、ピニオン３６の大径平歯車部３６ａと小径平歯車部３６ｂのピッチ円直径が異なっても、大径平歯車部３６ａがトレイ１４の前後ラック１４ｆにスムーズに噛合し、且つ、小径平歯車部３６ｂが横移動部材２９の左右ラック２９ｄにスムーズに噛合して、ピニオン３６がトレイ１４の前後ラック１４ｆから横移動部材２９の左右ラック２９ｄ、又は、横移動部材２９の左右ラック２９ｄからトレイ１４の前後ラック１４ｆに確実に乗り継ぐことができるようになっている。
【００５４】
次に、上記構成による本発明に係る光ディスク装置１０の動作について図７〜図１１を用いて説明する。
【００５５】
図７は本発明に係る光ディスク装置において、トレイが光ディスク挿脱位置に至った状態を示した第１動作工程図、
図８は本発明に係る光ディスク装置において、トレイが光ディスク挿脱位置から光ディスク記録再生位置側に向かって移動した時に、横移動部材の第１ボスがトレイの第１カム溝中で前後溝から第１傾斜溝内に進入し始めた状態を示した第２動作工程図、
図９は本発明に係る光ディスク装置において、トレイが光ディスク挿脱位置から光ディスク記録再生位置側に向かって移動した時に、横移動部材の第１ボスがトレイの第１カム溝中で第１傾斜溝から第２傾斜溝内に進入し始めた状態を示した第３動作工程図、
図１０は本発明に係る光ディスク装置において、トレイが光ディスク記録再生位置に至った状態を示した第４動作工程図、
図１１（ａ）〜（ｅ）は本発明に係る光ディスク装置において、ピニオンがトレイの前後ラックから横移動部材の左右ラック、又は、横移動部材の左右ラックからトレイの前後ラックに乗り継いで噛合する状態を摸式的に示した図である。
【００５６】
まず、図７に示した如く、本発明に係る光ディスク装置１０の第１動作工程では、トレイ１４がメインベース１１の前方（矢印Ｘ１方向）に移動してこのメインベース１１の前方に突出した光ディスク挿脱位置に至っている。この時には、メインベース１１内に設けたトラバースメカ２０は下動して下降位置に至っているので、トラバースベース２１上に取り付けたターンテーブル２２及び光ピックアップユニット２４はトレイ１４の移動に対して何等の支障をきたさない。
【００５７】
また、横移動部材２９はトラバースメカ２０の下降に伴ってメインベース１１のガイド壁１１ｄに沿って左方（矢印Ｙ１方向）に移動しているので、メインベース１１上に取り付けた回転駆動機構３０中で最終段のピニオン３６の大径平歯車部３６ａがトレイ１４の裏面左側部位に形成した前後ラック１４ｆの後方部位に噛合しているものの、ピニオン３６の小径平歯車部３６ｂは横移動部材２９の左側部位に形成した左右ラック２９ｄに噛合していない。
【００５８】
また、横移動部材２９の左側部位に突出形成した第１ボス２９ｅはトレイ１４の裏面左側部位に形成した長尺な第１カム溝１４ｇ中の前後溝１４ｇ１の後方端に進入していなものの、横移動部材２９の右側部位に突出形成した第２ボス２９ｆがトレイ１４の裏面右側後方部位に形成した短尺な第２カム溝１４ｈ内に嵌合している。
【００５９】
そして、トレイ１４が光ディスク挿脱位置に至っている時に、光ディスクＤ（図１，図２）をトレイ１４上に載置するか、又は、トレイ１４上に載置された光ディスクＤを取り出している。
【００６０】
次に、トレイ１４が光ディスク挿脱位置に至っている状態（図７）からピニオン３６を時計方向に回転させると、図８に示したように、トレイ１４の前後ラック１４ｆにピニオン３６の大径平歯車部３６ａが噛合しているのでトレイ１４が後方（矢印Ｘ２方向）に向かって移動し、これに伴って、横移動部材２９（図２〜図５）の第１ボス２９ｅがトレイ１４の長尺な第１カム溝１４ｇ中の前後溝１４ｇ１内に進入する。この際、トレイ１４が後方（矢印Ｘ２方向）に向かうにつれて横移動部材２９の第１ボス２９ｅが前後溝１４ｇ１の前端側に至るがこの間は横移動部材２９（図２〜図５）が移動しないものの、横移動部材２９の第１ボス２９ｅが前後溝１４ｇ１から第１傾斜溝１４ｇ２内に進入すると、横移動部材２９が右方（矢印Ｙ２方向）に向かって僅かに移動するので、ピニオン３６の小径平歯車部３６ｂに横移動部材２９の左右ラック２９ｄが噛合し始める。これに伴って、横移動部材２９の右側部位に突出形成した第２ボス２９ｆがトレイ１４の裏面右側後方部位に形成した短尺な第２カム溝１４ｈ内から離脱する。
【００６１】
次に、図８に示した状態からピニオン３６を更に時計方向に回転させると、図９に示したように、横移動部材２９（図２〜図５）の左右ラック２９ｄがピニオン３６の小径平歯車部３６ｂに噛合しながら横移動部材２９が更に右方（矢印Ｙ２方向）に向かって移動するので、横移動部材２９の第１ボス２９ｅがトレイ１４の長尺な第１カム溝１４ｇ中の第１傾斜溝１４ｇ２から第２傾斜溝１４ｇ３に向かう。この際、ピニオン３６の大径平歯車部３６ａはトレイ１４の前後ラック１４ｆの前端近傍に噛合しているので、トレイ１４が更に後方（矢印Ｘ２方向）に向かって移動する。
【００６２】
次に、図９に示した状態からピニオン３６をより更に時計方向に回転させると、図１０に示したように、横移動部材２９（図２〜図５）の左右ラック２９ｄがピニオン３６の小径平歯車部３６ｂに噛合しながら横移動部材２９がより更に右方（矢印Ｙ２方向）に向かって移動するので、横移動部材２９の第１ボス２９ｅがトレイ１４の長尺な第１カム溝１４ｇ中の第１傾斜溝１４ｇ２から第２傾斜溝１４ｇ３を経由して左右溝（Ｙ軸溝）１４ｇ４内に進入するので、メインベース１１上に設けたトラバースメカ２０は上動して光ディスクＤ（図１，図２）に対して記録再生可能な上昇位置に至る。これに伴って、ピニオン３６の大径平歯車部３６ａはトレイ１４の前後ラック１４ｆの前端部位に至るように噛合しているので、トレイ１４はメインベース１１内に収納されると共に、トレイ１４の長孔１４ｄ内にトラバースメカ２０中のターンテーブル２２及び光ピックアップユニット２４が臨んでいるために、トレイ１４上の光ディスクＤ（図１，図２）に対して記録再生可能になる。
【００６３】
尚、トレイ１４を光ディスク記録再生位置から光ディスク挿脱位置に移動させる際には、上記とは逆に図１０，図９，図８，図７の順にトレイ１４を移動させれば良い。
【００６４】
ここで、本発明の要部となるピニオン３６がトレイ１４の前後ラック１４ｆと、横移動部材２９の左右ラック２９ｄとを乗り継いで噛合する動作について図１１（ａ）〜（ｅ）を用いて説明する。
【００６５】
トレイ１４は、図１１（ａ）に示した光ディスク挿脱位置側と、図１１（ｅ）に示した光ディスク記録再生位置側との間を往復動可能になっている。
【００６６】
この際、前述したように、ピニオン３６の大径平歯車部３６ａと小径平歯車部３６ｂは、共に歯数が同じで例えば１７歯であるものの、両平歯車部３６ａ，３６ｂ同士はモジュールを異ならせており、大径平歯車部３６ａのモジュールＭａは例えば１．２５に設定され、一方、小径平歯車部３６ｂのモジュールＭｂは例えば０．８に設定されている。
【００６７】
また、前述したように、トレイ１４の裏面に形成した第１カム溝１４ｇ中で第１傾斜溝１４ｇ２は、Ｙ軸に対して傾斜角θ１で傾斜し、且つ、第２傾斜溝１４ｇ３はＹ軸に対して傾斜角θ１より小さな傾斜角θ２で傾斜していると共に、第１傾斜溝１４ｇ２の傾斜角θ１は、前記したピニオン３６の大径平歯車部３６ａのモジュールＭａ＝１．２５と、ピニオン３６の小径平歯車部３６ｂのモジュールＭｂ＝０．８との比、即ち、θ１＝ｔａｎ−１Ｍａ／Ｍｂ  に予め設定されている。
【００６８】
そして、図１１（ａ）に示したように、トレイ１４が光ディスク挿脱位置に至っている状態からピニオン３６を時計方向に回転させると、ピニオン３６の大径平歯車部３６ａがトレイ１４の前後ラック１４ｆに噛合しているので、トレイ１４が後方（矢印Ｘ２方向）に向かって移動すると共に、横移動部材２９の第１ボス２９ｅがトレイ１４の裏面に形成した第１カム溝１４ｇ中の前後溝１４ｇ１の後端部位から進入してこの前後溝１４ｇ１の前端部位に至る。一方、ピニオン３６の小径平歯車部３６ｂは横移動部材２９の左右ラック２９ｄに噛合していないので、横移動部材２９は左方（矢印Ｙ１方向）に移動した位置で停止している。
【００６９】
次に、図１１（ａ）の状態からピニオン３６を時計方向に更に回転させて、トレイ１４を更に後方（矢印Ｘ２方向）に向かって移動させると、図１１（ｂ）及び図１１（ｃ）に示したように、横移動部材２９の第１ボス２９ｅがトレイ１４の裏面に形成した第１カム溝１４ｇ中の前後溝１４ｇ１からＹ軸に対して傾斜角θ１を有する第１傾斜溝１４ｇ２の後端部位から進入してこの第１傾斜溝１４ｇ２の前端部位に至る。この際、ピニオン３６の大径平歯車部３６ａと小径平歯車部３６ｂのピッチ円直径が異なっていても、トレイ１４の前後ラック１４ｆに噛合しているピニオン３６の大径平歯車部３６ａから横移動部材２９の左右ラック２９ｄに噛合するピニオン３６の小径平歯車部３６ｂにスムーズに乗り継ぐことができるので、横移動部材２９は右方（矢印Ｙ２方向）に向かって移動をする。
【００７０】
従って、本発明では、従来例で説明したような縦横ラック乗り継ぎ機構を設ける必要がないのでラック切り換え構造が簡単である。
【００７１】
次に、図１１（ｃ）の状態からピニオン３６を時計方向により更に回転させて、トレイ１４をより更に後方（矢印Ｘ２方向）に向かって移動させると、図１１（ｄ）に示したように、横移動部材２９の第１ボス２９ｅがトレイ１４の裏面に形成した第１カム溝１４ｇ中でＹ軸に対して傾斜角θ１を有する第１傾斜溝１４ｇ２からＹ軸に対して傾斜角θ１より小さな傾斜角θ２を有する第２傾斜溝１４ｇ３内に進入するので、トレイ１４はピニオン３６の大径平歯車部３６ａが前後ラック１４ｆに噛合していた時よりもｔａｎθ２／ｔａｎθ１の速度に遅くなるために、動作音を小さくして品位を向上させることができる。
【００７２】
次に、図１１（ｄ）の状態からピニオン３６を時計方向により更に回転させて、トレイ１４をより更に後方（矢印Ｘ２方向）に向かって移動させると、図１１（ｅ）に示したように、横移動部材２９の第１ボス２９ｅがトレイ１４の裏面に形成した第１カム溝１４ｇ中の第２傾斜溝１４ｇ３から左右溝（Ｙ軸溝）１４ｇ４内に進入するので、トレイ１４はメインベース１１内に収納された光ディスク記録再生位置に至る共に、横移動部材２９の右方（矢印Ｙ２方向）への移動に伴ってトラバースメカ２０が上昇位置に至る。
【００７３】
この際、横移動部材２９の駆動力は、ピニオン３６の大径平歯車部３６ａのモジュールＭａ＝１．２５と、ピニオン３６の小径平歯車部３６ｂのモジュールＭｂ＝０．８との比Ｍａ／Ｍｂ分大きくなるので、ディスククランプ解除力とトラバースメカ２０の上下動時の駆動力を大きくすることができる。
【００７４】
尚、図１１（ｅ）から図１１（ａ）に向かってトレイ１４及び横移動部材２９をそれぞれ移動させる動作は上記に対して逆に行えば良い。
【図面の簡単な説明】
【００７５】
【図１】本発明に係る光ディスク装置の外観構成を示した斜視図である。
【図２】本発明に係る光ディスク装置を分解して示した分解斜視図である。
【図３】トレイを取り外した状態で本発明に係る光ディスク装置を示した平面図である。
【図４】（ａ），（ｂ）は本発明に係る光ディスク装置において、横移動部材の左右移動状態を説明するための正面図である。
【図５】（ａ），（ｂ）は本発明に係る光ディスク装置において、トラバースメカの上下動状態を説明するための側面図である。
【図６】本発明に係る光ディスク装置において、トレイを示した平面図である。
【図７】本発明に係る光ディスク装置において、トレイが光ディスク挿脱位置に至った状態を示した第１動作工程図である。
【図８】本発明に係る光ディスク装置において、トレイが光ディスク挿脱位置から光ディスク記録再生位置側に向かって移動した時に、横移動部材の第１ボスがトレイの第１カム溝中で前後溝から第１傾斜溝内に進入し始めた状態を示した第２動作工程図である。
【図９】本発明に係る光ディスク装置において、トレイが光ディスク挿脱位置から光ディスク記録再生位置側に向かって移動した時に、横移動部材の第１ボスがトレイの第１カム溝中で第１傾斜溝から第２傾斜溝内に進入し始めた状態を示した第３動作工程図である。
【図１０】本発明に係る光ディスク装置において、トレイが光ディスク記録再生位置に至った状態を示した第４動作工程図である。
【図１１】（ａ）〜（ｅ）は本発明に係る光ディスク装置において、ピニオンがトレイの前後ラックから横移動部材の左右ラック、又は、横移動部材の左右ラックからトレイの前後ラックに乗り継いで噛合する状態を摸式的に示した図である。
【図１２】従来のディスクプレーヤを示した平面図である。
【図１３】（ａ）〜（ｅ）は従来のディスクプレーヤにおいて、ピニオンがトレイの前後ラックから横移動部材の左右ラック、又は、横移動部材の左右ラックからトレイの前後ラックに乗り継いで噛合する状態を摸式的に示した図である。
【符号の説明】
【００７６】
１０…光ディスク装置。
【００７７】
１１…メインベース、１１ａ…矩形孔、１１ｂ…ボス、１１ｃ…支点用溝、
１１ｄ…ガイド壁、１１ｅ…第１軸部、１１ｆ…第２軸部、
１２…フロントカバー、１３…トップカバー、
１４…トレイ、１４ａ…上面、１４ｂ…大径載置部、１４ｃ…小径載置部、
１４ｄ…長孔、１４ｅ…裏面、１４ｆ…前後ラック、
１４ｇ…第１カム溝、１４ｇ１…前後溝（Ｘ軸溝）、１４ｇ２…第１傾斜溝、
１４ｇ３…第２傾斜溝、１４ｇ４…左右溝（Ｙ軸溝）、１４ｈ…第２カム溝、
１５…ディスククランパ、
２０…トラバースメカ、
２１…トラバースベース、２１ａ…矩形孔、２２…ターンテーブル、
２３…スピンドルモータ、２４…光ピックアップユニット、２５…カイドレール、
２６…インシュレータ、２７…ネジ、
２８…トラバースホルダ、２８ａ…第１ボス、２８ｂ…第２ボス、
２９…横移動部材、２９ａ…垂直面、２９ｂ…水平面、
２９ｃ…カム溝、２９ｃ１…上側水平溝、２９ｃ２…傾斜溝、２９ｃ３…下側水平溝、
２９ｄ…左右ラック、２９ｅ…第１ボス、２９ｆ…第２ボス、
３０…回転駆動機構、
３１…モータ、３２…第１プーリ、３３…ベルト、
３４…プーリ付きウオーム、３４ａ…第２プーリ、３４ｂ…ウオーム、
３５…中間歯車、３５ａ…大径ハスバ歯車部、３５ｂ…小径平歯車部、
３６…ピニオン、３６ａ…大径平歯車部、３６ｂ…小径平歯車部、
３７…第１プレート、３８…第１スイッチ、３９…第２プレート、４０…第２スイッチ、
Ｄ…光ディスク。
【図１】
2008251085.tif 000003
【図２】
2008251085.tif 000004
【図３】
2008251085.tif 000005
【図４】
2008251085.tif 000006
【図５】
2008251085.tif 000007
【図６】
2008251085.tif 000008
【図７】
2008251085.tif 000009
【図８】
2008251085.tif 000010
【図９】
2008251085.tif 000011
【図１０】
2008251085.tif 000012
【図１１】
2008251085.tif 000013
【図１２】
2008251085.tif 000014
【図１３】
2008251085.tif 000015